(57)【要約】【課題】システム自体が立ち上がらないといった致命的な故障発生時においても、保守作業等を目的に、故障情報を外部に取り出すことが可能な情報処理装置を提供する。【解決手段】情報処理装置であって、システムに電源を供給する主電源と、主電源とシステムとの間に配置され、主電源のシステムに対する電源供給を制御する電源回路と、システムへの電源供給異常を監視する、もしくは、システムの動作異常を監視する異常監視部と、情報処理装置に内蔵され、故障情報を記憶するためのメモリを有する故障情報通知部とを設け、異常監視部は、監視したシステムへの電源供給異常及びシステムの動作異常を故障情報として故障情報通知部のメモリに記憶させ、故障情報通知部は、主電源とは異なる副電源を有し、その副電源からの電力供給により、メモリに記憶された故障情報を読み出して外部に発信する構成とする。【選択図】図１
2005115766.tif 000002
【特許請求の範囲】
【請求項１】
情報処理を行うシステムを備えた情報処理装置であって、
システムに電源を供給する主電源と、
主電源とシステムとの間に配置され、主電源のシステムに対する電源供給を制御する電源回路と、
システムへの電源供給異常を監視する、もしくは、システムの動作異常を監視する異常監視部と、
情報処理装置に内蔵され、故障情報を記憶するためのメモリを有する故障情報通知部とを備え、
異常監視部は、監視したシステムへの電源供給異常及びシステムの動作異常を故障情報として故障情報通知部のメモリに記憶させ、
故障情報通知部は、主電源とは異なる副電源を有し、その副電源からの電力供給により、メモリに記憶された故障情報を読み出して外部に発信する情報処理装置。
【請求項２】
前記故障情報通知部は、質問器から無線電波で発生された質問信号に応答する応答器からなり、質問器から無線電波で発生された質問信号を受信するアンテナと、そのアンテナで受信した無線電波によって発生された誘導起電力を整流する整流電圧発生部とをさらに備え、質問器から質問信号を受信した際には、整流電圧発生部によって整流された電力を前記副電源として利用し、メモリに記憶された故障情報を読み出して質問器に発信する請求項１記載の情報処理装置。
【発明の詳細な説明】
【技術分野】
【０００１】
本発明は、情報処理装置に関し、さらに詳しくは、システムの故障情報を記憶するようにした情報処理装置に関する。
【背景技術】
【０００２】
この種の情報処理装置においては、稼動中のシステムに故障が発生した場合、その故障情報をなんらかの記憶装置に記録し、後で保守作業者等が保守プログラム等によりその故障情報を読み取ることによって、システムに発生した故障内容を特定するようにしている。
【０００３】
故障情報を記憶する際には２つのことを考慮する必要がある。第１は、その故障情報が電源の遮断により消失しないことであり、第２は、その故障情報が簡単に読み取れることである。
【０００４】
この例として、故障情報を不揮発性メモリ（ＮＶＲＡＭ）あるいはハードディスクドライブ（ＨＤＤ）に書き込むことにより、電源が遮断された場合の故障情報の消失を防ぎ、かつ不揮発性メモリやＨＤＤに記憶された障害発生部の障害を解除して、縮退状態でシステムを起動するようにした障害情報を記憶する情報処理装置が知られている（例えば、特許文献１参照）。
【０００５】
また、故障情報を着脱可能な不揮発性のメモリカードに書き込むことにより、電源が遮断された場合の故障情報の消失を防ぎ、かつその不揮発性のメモリカードを抜き取り、別の情報処理装置に装着することにより、その不揮発性のメモリカードに書き込まれた故障情報を読み取るようにした電子装置も知られている（例えば、特許文献２参照）。
【特許文献１】特開平８−１４７１９７号公報
【特許文献２】特開平７−１７５３７３号公報
【発明の開示】
【発明が解決しようとする課題】
【０００６】
しかしながら、これらの装置においては、不揮発性メモリに故障情報を記憶することで、電源の遮断による故障情報の消失は防止することができるが、以下のような問題がある。
【０００７】
すなわち、前者においては、システムが起動しないような致命的な故障が発生した場合、例えばシステム全体を司る主制御部が故障した場合や、システムに電源を供給する電源部が故障した場合には、システム自身が起動できない状況に陥っており、たとえ故障を検出し、その故障情報を記憶したとしても、実質上、故障情報を読み取ることはできない。
【０００８】
後者においては、故障情報が書き込まれた不揮発性のメモリカードと故障の発生した情報処理装置とが別体となり得るため、情報処理装置と故障情報とが対にならない場合が発生するおそれがある。これは、記憶された故障情報を、実質上、必要とする者は、利用者であることより、むしろ、故障機器を修理するサービスマンであることが一般的であることから考えると、「対と成り得ない状況が発生し得る」ことは、従来システム／技術が持つ、比較的大きな課題の１つであるといえる。
【０００９】
また、情報処理装置に故障情報を記憶する不揮発性のメモリカードを挿入するということは、実質上、専用のカードスロットを設ける必要があることを意味する。例えばノート型のパーソナルコンピュータにおいては、カードスロットが１つあるいは２つあるのが普通であるが、従来システムの場合、いつ如何なる時に機器故障が検出されるか分からない（常に、故障検出をする必要がある）ことから、カードスロットの内の１つを、故障情報を書き込む不揮発性のメモリカード専用のカードスロットとして使用せざるを得ず、これは、ユーザのシステム使用に多大な制約を設けることとなる。
【００１０】
本発明は、このような事情を考慮してなされたもので、情報処理装置内にその装置とは別電源で稼動する故障情報通知部を設け、システムの故障情報を故障情報通知部に記憶させるとともに、必要に応じてその故障情報を故障情報通知部から読み出せるようにして、保守作業等に利用できるようにすることを目的とするものである。
【課題を解決するための手段】
【００１１】
本発明は、情報処理を行うシステムを備えた情報処理装置であって、システムに電源を供給する主電源と、主電源とシステムとの間に配置され、主電源のシステムに対する電源供給を制御する電源回路と、システムへの電源供給異常を監視する、もしくは、システムの動作異常を監視する異常監視部と、情報処理装置に内蔵され、故障情報を記憶するためのメモリを有する故障情報通知部とを備え、異常監視部は、監視したシステムへの電源供給異常及びシステムの動作異常を故障情報として故障情報通知部のメモリに記憶させ、
故障情報通知部は、主電源とは異なる副電源を有し、その副電源からの電力供給により、メモリに記憶された故障情報を読み出して外部に発信する情報処理装置である。
【発明の効果】
【００１２】
本発明によれば、システムへの電源供給異常またはシステムの動作異常が発生した際には、異常監視部により、それらの異常が故障情報として故障情報通知部のメモリに記憶される。その後、副電源からの電力供給により、メモリに記憶された故障情報が読み出されて外部に発信される。したがって、システム自体が立ち上がらないといった致命的な故障発生時においても、故障情報を外部に取り出すことができる。また、故障情報記憶部が情報処理装置に内蔵されているので、情報処理装置と故障情報とが対にならない状況が発生することがない。
【発明を実施するための最良の形態】
【００１３】
実施形態１
図１は本発明の情報処理装置の実施形態１の構成を示すブロック図である。
図において、１００は本発明の実施形態１の情報処理装置Ａであり、この情報処理装置Ａは、主として、主電源１、システム２、電源回路３、異常監視部４、異常検知部６、および故障情報通知部５から構成される。
【００１４】
主電源１は、本発明に係る情報処理装置Ａ全体に電力を供給するＡＣアダプタ、ＡＣ−ＤＣ回路、ＤＣ−ＤＣ回路、電池等の電源である。
【００１５】
システム２は、ＣＰＵ、ＲＡＭ等からなる主制御部２１と、様々な周辺機器やコントロールＩＣからなる周辺装置２２とを備えている。主制御部２１と周辺装置２２は相互にバス接続されており、各装置内または各装置間でデータのやりとり等を行うことにより、情報処理装置の主活動をとり行う。
【００１６】
電源回路３は、主に、主電源１から主制御部２１及び周辺装置２２に対して供給される電力の供給および遮断を行う。また主制御部２１と周辺装置２２が必要とする電圧レベルと主電源１が供給する電圧レベルが異なる場合の電圧レベル変換などを実施する。なお、一般的な情報処理装置では、図示していない電源ボタンのＯＮ操作でシステム２に電力を供給し、ＯＦＦ操作で電力を遮断する。
【００１７】
異常検知部６は、第１検出回路６１と第２検出回路６２とを備えている。第１検出回路６１は主制御部２１の電圧異常を検出し、第２検出回路６２は周辺装置２２の電圧異常を検出する。
【００１８】
異常検知部６は、電源回路３を介さず、主電源１から常に電力が供給されて動作するようになっている。しかし、この異常検知部６は、後述する副電源５３から電力が供給される構成や、主電源１からの電力を利用して蓄電するコンデンサなどの小さな二次電池的なもので電力が供給される構成等としても構わない。
【００１９】
異常監視部４は、１チップのマイコンで構成されている。この異常監視部４は、ＥＣ（Embedded Controller：エンベデッドコントローラ）内に組み込まれたものであってもよい。異常監視部４は、電源回路３を介さず、主電源１から常に電力が供給されて動作するようになっている。異常監視部４は、２線式のＩ2ＣバスやＵＳＢのようなシリアルバスで故障情報通知部５のメモリ５１と接続されている。この異常監視部４は、異常検知部６より出力される電源供給異常情報と、システム２より出力されるシステムの動作異常情報とを監視し、異常が発生した場合には、その異常情報を故障情報として、バスを介して故障情報通知部５内のメモリ５１に送り、故障情報をメモリ５１に記憶させる。
【００２０】
本実施形態では、異常監視部４には、主電源１から電力が供給される構成としているが、後述する副電源５３から電力が供給される構成や、主電源１からの電力を利用して蓄電するコンデンサなどの小さな二次電池的なもので電力が供給される構成等としても構わない。
【００２１】
故障情報通知部５は、情報処理装置Ａに内蔵されており、メモリ５１と発信器５２とコントローラ５４と副電源５３とを備えている。この副電源５３としては、ボタン電池や単三または単四乾電池あるいは二次電池などを用いる。メモリ５１は、例えばＥＥＰＲＯＭのような不揮発性メモリであり、主電源１から常に電力が供給されて動作するようになっている。そして、主電源１からの電力供給が遮断された場合には、副電源５３でバックアップされるようになっている。発信器５２とコントローラ５４は、副電源５３で動作するようになっている。この故障情報通知部５は、メモリ５１に記憶された故障情報をコントローラ５４と発信器５２により情報処理装置Ａの外部へ発信する。
【００２２】
次に本情報処理装置の処理内容について説明する。
図２は第１検出回路６１、第２検出回路６２及び主制御部２１と周辺装置２２の内部処理における異常監視の処理内容を示すフローチャートであり、図３は故障情報通知部５の処理内容を示すフローチャートである。
【００２３】
初めに、図２の異常監視の処理内容について説明する。
異常監視部４は、第１検出回路６１により、主制御部２１へ供給される電源に異常が無いかを確認し（ステップＳ１）、異常を検出した場合には、故障情報通知部５のメモリ５１に故障情報を記憶させる（ステップＳ５）。
【００２４】
主制御部２１への供給電圧レベルが不適切である場合、システム２全体が動作しない。しかし、異常検知部６、異常監視部４、故障情報通知部５は、電源回路３を介さず、主電源１から直接電源の供給を受けている。したがって、主制御部２１への電源供給のトリガ、例えば電源ボタン押下時に、主制御部２１へ供給される電源に異常があった場合には、その電源供給異常の情報を、異常監視部４により、故障情報通知部５のメモリ５１に記憶させることが可能である。
【００２５】
ステップＳ１において異常が検出されない場合は、異常監視部４は、利用者により電源ボタンのＯＮ操作がなされたかどうかをチェックし、ＯＮ操作以降において（ステップＳ２）、第２検出回路６２により、周辺装置２２へ供給される電源に異常が無いかを確認し（ステップＳ３）、異常を検出した場合には、故障情報通知部５のメモリ５１に故障情報を記憶させる（ステップＳ５）。
【００２６】
すなわち、第１検出回路６１の異常検出と同様に、周辺装置２２へ供給される電源に異常があった場合には、主制御部２１が周辺装置２２の制御を開始する前に、その電源供給異常の情報を、異常監視部４により、故障情報通知部５のメモリ５１に記憶させることが可能である。
【００２７】
なお、本処理において、電源ボタンが押下された以降であるのか否かのチェックをしている。その理由は、本実施形態では、便宜上、主制御部２１を１つのブロックとして表しているが、詳しくは、電源ボタンのＯＮ操作により電力供給され、稼動するブロックと、電源ボタンのＯＮ／ＯＦＦ操作に関係なく、常に電力供給がされ、稼動しているブロック（例えば、ＲＴＣ）とがあり、後者（常に稼動しているブロック）の電源供給異常を検出することを考えた場合においては、第１検出回路部６１の異常検出は、電源ボタンのＯＮ／ＯＦＦ操作状態に関係なく行う必要がある。対して、第２検出回路６２の異常検出や、動作異常検出（特に、周辺装置２２の動作異常検出）については、主制御部２１に異常が発生している時にはシステム２が動作され得る状態ではなく、また、主制御部２１が動作され得る状態にない時は、周辺機器２２が使用される（稼動され得る）状態にない（周辺装置２２はシステムで使用されるデバイスである）という性質を持つことから、本実施形態では、電源ボタンのＯＮ操作以降にのみ検出処理を行っている。すなわち、本処理は、第１検出回路６１での異常検出の方が、第２検出回路６２の異常検出や動作異常検出（特に、周辺装置２２の動作異常検出）より優先されることをより明確とするための処理にすぎず、常に（電源ボタンのＯＮ／ＯＦＦ操作に関係なく）、検出する処理と（ステップＳ２を削除）しても構わない。
【００２８】
本例は、上記を考慮しつつ、情報処理装置の実設計を行うことにより、使用部品の削減や、開発コストダウンにもつながり得るという点を一例として示しているものであり、当然、常に（周辺装置２２に電力供給している状態であるにもかかわらず）、供給電圧レベルに異常がないかを確認するもの（第１検出回路の異常監視の処理内容と等価の処理）としても、何ら別状はない。
【００２９】
ステップＳ１及びＳ３で異常が検出されない場合は、主制御部２１と周辺装置２２の内部処理における異常監視は、例えば、ハードディスクのモータ部が動かなくなったことをハードディスクコントローラ自身が検出した場合等の、ＣＰＵ（主制御部２１内の演算部）や周辺装置２２内のコントローラから、直接、出力される故障（動作異常）検出信号に応答し（ステップＳ４）、異常監視部４は、故障情報通知部５のメモリ５１に故障情報を記憶させる（ステップＳ５）。
上記の通り、主制御部２１と周辺装置２２の内部処理における異常監視で異常が検知された場合も、故障情報がメモリ５１に蓄えられる。
【００３０】
図３に示すように、故障情報通知部５は、メモリ５１にデータ、即ち故障情報が存在するかどうかを確認し（ステップＳ１１）、故障情報が存在する場合には、コントローラ５４により、発信器５２から、情報処理装置Ａの外部に故障情報を送信する（ステップＳ１２）。
【００３１】
実施形態２
図４は本発明の情報処理装置の実施形態２の構成を示すブロック図であり、故障情報通知部としてＲＦＩＤタグを用いた例を示している。
図において、２００は本発明の実施形態２の情報処理装置Ｂであり、この情報処理装置Ｂは、主として、主電源１、システム２、電源回路３、異常監視部４、異常検知部６、およびＲＦＩＤタグ７から構成される。図１に示したブロック図と比較して、故障情報通知部５がＲＦＩＤタグ７に置き換わっている点を除き、その他は同一である。
【００３２】
図では、ＲＦＩＤタグ７のメモリ７４から故障情報を読み出すための機器の一例としてＲＦＩＤリーダ／ライタ８を記載している。このＲＦＩＤリーダ／ライタ８は、電源８１、コントローラ８２、送受信器８３、およびアンテナ８４で構成されている。
【００３３】
ＲＦＩＤタグ７は、アンテナ（無線アンテナ）７１と、送受信器７３と、コントローラ７２と、メモリ７４と、整流電圧発生部７５とで構成されている。
【００３４】
メモリ７４は、故障情報が蓄積されるメモリである。本実施形態では、メモリ７４には主電源１から電源が供給されるようになっている。しかし、ＲＦＩＤタグ７内に別途副電源を設け、この副電源からメモリ７４に電力を供給するようにしても良いし、主電源１からの電力を利用して蓄電するコンデンサなどの小さな二次電池的なものでメモリ７４に電力を供給する構成等としても構わない。
【００３５】
この電源供給は、異常監視部４からの故障情報を書き込む場合に必要な電力をメモリ７４に供給する為のものであり、外部ＲＦＩＤリーダ／ライタ８からのアクセスを実施する場合においては、後述するアンテナ７１からの誘導起電力での動作が可能であるので、その際はこの電源供給を実施しなくても良い。
【００３６】
アンテナ７１は、ＲＦＩＤリーダ／ライタ８とメモリ７４間のデータ送受信を行うためのものである。すなわち、このアンテナ７１は、ＲＦＩＤリーダ／ライタ８から無線電波（質問信号：コマンド／データ）を受信するとともに、ＲＦＩＤリーダ／ライタ８に対して、その質問信号に対応した応答信号（データ）を送信する。
【００３７】
整流電圧発生部７５は、ＲＦＩＤリーダ／ライタ８から送信された無線電波により、アンテナ７１で発生した誘導起電力を整流し、コントローラ７２および送受信器７３に電力を供給する。また、メモリ７４から故障情報を読み出す際にはメモリ７４に電力を供給する。
【００３８】
送受信器７３は、整流電圧発生部７５からの電力で稼動され、ＲＦＩＤリーダ／ライタ８から質問信号を受信した際には、その質問信号の復調を行う。また、コントローラ７２を介して、メモリ７４の故障情報（応答信号）をＲＦＩＤリーダ／ライタ８へ送信する際には、その応答信号の変調を行う。
【００３９】
コントローラ７２は、整流電圧発生部７５からの電力で稼動され、ＲＦＩＤリーダ／ライタ８からの故障情報の読み出し指示（質問信号）を受信した際には、その指示に対応する故障情報（応答信号）をメモリ７４から読み出し、送受信器７３で変調した後に、アンテナ７１からＲＦＩＤリーダ／ライタ８に送信する。
【００４０】
図５はＲＦＩＤリーダ／ライタ８とＲＦＩＤタグ７との関係を示す説明図である。
この図に示すように、ＲＦＩＤリーダ／ライタ８は、電源８１により稼動され、質問信号を送信する際には、その質問信号を変調器８３ｂで変調してアンテナ８４から送信する。また、アンテナ８４で応答信号を受信した際には、その応答信号を復調器８３ａで復調して内部に取り込む。復調器８３ａおよび変調器８３ｂは図４で示した送受信器８３に内蔵されているものである。
【００４１】
ＲＦＩＤタグ７は、ＲＦＩＤリーダ／ライタ８から無線電波による質問信号をアンテナ７１で受信すると、その無線電波によって供給される電磁波エネルギーによって稼動される。具体的には、整流電圧発生部７５により、アンテナ７１で受信した無線電波によって発生する誘導起電力を整流し、その電力を利用して質問信号の受信と応答信号の送信を行う。これにより、ＲＦＩＤリーダ/ライタ８からのアクセスを実施する場合には、図１で示した副電源５３が不要となる。
【００４２】
アンテナ７１で受信された質問信号は、復調器７３ａによって復調され、コントローラ７２によって判読される。コントローラ７２は、判読した質問信号に応じた故障情報をメモリ７４から読み出す。読み出された故障情報は、変調器７３ｂで変調され、応答信号として、アンテナ７１からＲＦＩＤリーダ／ライタ８に送信される。復調器７３ａおよび変調器７３ｂは図４で示した送受信器７３に内蔵されているものである。
【００４３】
ＲＦＩＤタグ７のメモリ７４は、例えばＥＥＰＲＯＭのような不揮発性メモリであり、通常は主電源１から常に電力が供給されて動作し、故障情報が読み出される際には整流電圧発生部７５から供給される電力で動作するようになっている。メモリ７４は不揮発性メモリであるので記憶内容を保持するための電源は不要である。
【００４４】
メモリ７４に故障情報が書き込まれていれば、情報処理装置の作動、不作動にかかわらず、つまりメモリ７４に対して主電源１から電力が供給されているか否かにかかわらず、ＲＦＩＤタグ７に故障情報の読み出し指示を与えれば、ＲＦＩＤタグ７のメモリ７４に書き込まれた故障情報を、任意の時期に、容易に読み出すことができる。
【００４５】
したがって、たとえば情報処理装置の修理を行う場合には、保守作業者は、ハンディタイプのＲＦＩＤリーダ／ライタを持参し、そのＲＦＩＤリーダ／ライタでＲＦＩＤタグ７から故障情報を読み出すようにすればよい。保守作業者が利用するＲＦＩＤリーダ／ライタは、ＲＦＩＤタグ７のメモリ７４から故障情報を読み出すことができればよく、ＲＦＩＤリーダとしてのみ機能するものであってもよい。
【００４６】
この場合、データの書き込みが可能なＲＦＩＤリーダ／ライタであれば、修理終了後、故障情報を消去してもよいし、故障修理の履歴をＲＦＩＤタグ７のメモリ７４に書き込み、次回の修理に役立てるようにしてもよい。
【００４７】
本例において、ＲＦＩＤタグ７は、タグの形に限定されず、紙タグ、コイン（ボタン）、ラベルなど種々の形をとるものであってもよい。あるいは、情報処理装置のメインフレームに直接埋め込むようにしてもよい。
【００４８】
このように、ＲＦＩＤタグ７を、情報処理装置に内蔵しておくことにより、故障情報と情報処理装置とが対にならない状況を回避することができる。
この場合、異常監視部は、故障情報を故障の内容に応じた識別コードに変換し、その識別コードをＲＦＩＤタグ７に発信するように構成しておくことが望ましい。このように構成しておけば、故障の内容の把握が容易である。
【００４９】
本構成における情報処理装置の処理内容は、図１の構成における処理内容と基本的には同じである。
すなわち、第１検出回路６１による主制御部２１へ供給される電源異常検知、第２検出回路６２による周辺装置２２へ供給される電源異常検知、または主制御部２１及び周辺装置２２による異常通知があった場合、それらの異常は異常監視部４に伝えられる。
【００５０】
異常監視部４は、バスを通してＲＦＩＤタグ７のメモリ７４に故障情報を書き込む。メモリ７４に書き込まれた故障情報は、アンテナ７１を介し、情報処理装置の外部にあるＲＦＩＤリーダ／ライタにより簡単に読み出すことが可能である。その際には、ＲＦＩＤタグ７は、ＲＦＩＤリーダ／ライタから供給される電磁波エネルギーによって動作可能であるため、情報処理装置側から電源を供給する必要がない。
【００５１】
故障情報通知部５をＲＦＩＤタグ７で構成した場合には、非常に単純なシステム構成とすることができるので、コストダウンを図ることができる。また、ＲＦＩＤタグ７内に内蔵されたメモリ７４を不揮発性メモリとすることにより、電源遮断時における故障情報の消失を防ぐことができる。
【００５２】
さらに、ＲＦＩＤタグ７は、外部のＲＦＩＤリーダ／ライタ８から供給される電磁波エネルギーで動作可能であるので、情報処理装置内の全ての電源が遮断されている場合においても、ＲＦＩＤタグ７のメモリ７４に書き込まれた故障情報を容易に取得することが可能である。
【００５３】
このようにして、異常検知部と異常監視部を、システムとは独立して動作可能とし、故障情報を、主電源とは異なる副電源で稼動される故障情報通知部のメモリに記憶させることにより、電源回路の遮断時における故障情報の消失を防止することができる。また、システム自体が立ち上がらないといった致命的な故障発生時においても、故障情報通知部を介して故障情報を外部に送信することができる。
【００５４】
そして、故障情報を、情報処理装置に内蔵された故障情報通知部のメモリに記憶させることにより、故障情報と故障が発生した情報処理装置との関連付けを確実にすることができる。
【００５５】
さらに、故障情報通知部をＲＦＩＤタグで構成することにより、簡便な構成で容易に故障情報を取得することが可能となる。
【図面の簡単な説明】
【００５６】
【図１】本発明の情報処理装置の実施形態１の構成を示すブロック図である。
【図２】異常監視部４の処理内容を示すフローチャートである。
【図３】コントローラ５４（図１）、７２（図４）の処理内容を示すフローチャートである。
【図４】本発明の情報処理装置の実施形態２の構成を示すブロック図である。
【図５】ＲＦＩＤリーダ／ライタとＲＦＩＤタグとの関係を示す説明図である。
【符号の説明】
【００５７】
１  主電源
２  システム
３  電源回路
４  異常監視部
５  故障情報通知部
６  異常検知部
７  ＲＦＩＤタグ
８  ＲＦＩＤリーダ／ライタ
２１  主制御部
２２  周辺装置
５１，７４  メモリ
５２  発信器
５３  副電源
５４，７２，８２  コントローラ
６１  第１検出回路
６２  第２検出回路
７１，８４  アンテナ
７３，８３  送受信器
７３ａ，８３ａ  復調器
７３ｂ，８３ｂ  変調器
７５  整流電圧発生部
８１  電源
１００  情報処理装置A
２００  情報処理装置B
【図１】
2005115766.tif 000003
【図２】
2005115766.tif 000004
【図３】
2005115766.tif 000005
【図４】
2005115766.tif 000006
【図５】
2005115766.tif 000007